(57)【特許請求の範囲】
【請求項１】
リム部が上端部に形成される便鉢部と、
前記リム部の外周側に形成されるリム通水路と、
前記リム通水路内から前記便鉢部内に吐水するためのリム吐水孔と、
前記便鉢部の底部に接続されるトラップ部であって、該便鉢部の底部から該トラップ部の奥側に向かう途中位置に上方に延びる上昇通路部を有するトラップ部と、
前記リム通水路内の水を前記上昇通路部に排出するための水抜き通路と、を備え、
前記トラップ部は、封水が貯留される封水貯溜部を有し、
前記水抜き通路の一部は、前記封水貯溜部において上流端から下流端に広がる内部空間に対して左右一方側を通るように配置されることを特徴とする水洗大便器。
【請求項２】
前記封水貯溜部は、その上流端から下流端までの範囲で連なるように形成される通路面を内側に有し、
前記水抜き通路を形成する壁部は、前記通路面に凸部を形成しないように設けられることを特徴とする請求項１に記載の水洗大便器。
【請求項３】
前記水抜き通路を形成する壁部の一部は、該水抜き通路の内部空間と前記トラップ部の内部空間とを左右に隔てる隔壁部を構成することを特徴とする請求項１または２に記載の水洗大便器。
【請求項４】
前記水抜き通路の排水口は、前記上昇通路部の内部空間に対して下方側に配置され、該上昇通路部内に上向きに水を排出するように形成されることを特徴とする請求項１から３のいずれかに記載の水洗大便器。
【請求項５】
前記水抜き通路は、該水抜き通路を通る水の流れを広げて拡散させるための拡散通路を有することを特徴とする請求項１から４のいずれかに記載の水洗大便器。
【請求項６】
前記拡散通路は、水の流れ方向を変えて前記封水貯溜部内に水を排出するように形成されることを特徴とする請求項５に記載の水洗大便器。
【請求項７】
前記水抜き通路は、前記上昇通路部内から該水抜き通路内への汚水の逆流を制限するための第１絞り孔を有することを特徴とする請求項１から６のいずれかに記載の水洗大便器。
【請求項８】
前記水抜き通路は、前記リム通水路内から該水抜き通路内への洗浄水の流入を制限するための第２絞り孔を有することを特徴とする請求項１から７のいずれかに記載の水洗大便器。
【請求項９】
前記トラップ部は、前記封水の非洗浄時の最高水位を規定する溢れ縁を有し、
前記水抜き通路は、該水抜き通路と前記上昇通路部の間での空気の流れを遮断した状態にできる前記封水の最低遮断水位を規定する最低遮断水位規定部を有し、
前記最低遮断水位規定部は、前記溢れ縁に対して下方に５０ｍｍ以上の距離を空けて配置されることを特徴とする請求項１から８のいずれかに記載の水洗大便器。
【請求項１０】
前記水抜き通路は、直線状に延びるように形成される縦通路を有し、
前記縦通路は、上側に向けて開放する水導入口を有することを特徴とする請求項１から９のいずれかに記載の水洗大便器。
【請求項１１】
前記リム通水路には、前記水抜き通路の水導入口より低位置に水溜部が形成されることを特徴とする請求項１から１０のいずれかに記載の水洗大便器。
【請求項１２】
前記水抜き通路の排水口は、該排水口の軸線方向から見て、前記封水貯溜部における洗浄水の流れ方向に沿う通路中心線に対して重ならない位置に配置されることを特徴とする請求項１から１１のいずれかに記載の水洗大便器。
【請求項１３】
上面側部分と、前記上面側部分より下側の便鉢側部分とを接合して構成される便器本体における前記便鉢側部分の便器素地の製造方法であって、
前記便器本体は、リム部が上端部に形成される便鉢部と、前記リム部の外周側に形成されるリム通水路と、前記リム通水路内から前記便鉢部内に吐水するためのリム吐水孔と、前記便鉢部の底部に接続されるトラップ部であって、該便鉢部の底部から該トラップ部の奥側に向かう途中位置に上方に延びる上昇通路部を有するトラップ部と、前記リム通水路内の水を前記上昇通路部に排出するための水抜き通路と、を備え、
複数の型を型合わせすることによって、前記便器素地を成形するための型空間を形成する工程を含み、
前記複数の型には、前記リム通水路の内底面を成形するための成形面を有し、前記成形面を貫通する差込穴が形成される上型と、前記水抜き通路の内面を成形するための成形面を有し、前記差込穴に対して抜き差しされる型部材と、が含まれることを特徴とする便器素地の製造方法。
【発明の詳細な説明】
【技術分野】
【０００１】
本発明は、水洗大便器及び便器素地の製造方法に関する。
【背景技術】
【０００２】
水洗大便器では、便器洗浄後、リム通水路に残留した水が、すじ状の水（以下、すじ状水という）となって、便鉢部の内面を伝って流れ落ちることがある。このすじ状水は、便鉢部の内面を伝う経路を不規則に変えながら流れるうえ、長期間に亘って流れることもあり、見栄えの低下を招く原因となる。
【０００３】
この対策として、特許文献１には、リム通水路に洗浄水を供給する水供給管（water supply tube）と、トラップ部（stench trap）とを連通する水路（channel）を設けた便器が提案されている。この便器では、リム通水路内の水が水路を通してトラップ部に排出され、すじ状水が便鉢部の内面を長期に亘って流れ落ちるのを防止できると考えられる。
【先行技術文献】
【特許文献】
【０００４】
【特許文献１】ＷＯ９９／５７３８５号公報
【発明の概要】
【発明が解決しようとする課題】
【０００５】
本発明者は、特許文献１の構造に関して検討した結果、以下の課題を認識するに至った。特許文献１の便器では、リム通水路内の水を排出するための水路が、トラップ部の封水貯溜部の上壁部を通るように配置されている。よって、トラップ部の上壁部が水路の分だけ前後方向に厚くなり、その下方を汚物を潜り抜けるまでの間に汚物が動く距離が長くなり、トラップ部を通して汚物を排出し難くなる。従って、特許文献１の便器は、便器洗浄に起因する見栄えの低下を防止しつつ、汚物排出性能を確保する観点から改善の余地があった。
【０００６】
本発明は、このような課題に鑑みてなされ、その目的は、便器洗浄に起因する見栄えの低下を防止しつつ、汚物排出性能を確保し易くできる水洗大便器を提供することにある。
【課題を解決するための手段】
【０００７】
上記課題を解決するための本発明のある態様は水洗大便器である。水洗大便器は、リム部が上端部に形成される便鉢部と、前記リム部の外周側に形成されるリム通水路と、前記リム通水路内から前記便鉢部内に吐水するためのリム吐水孔と、前記便鉢部の底部に接続されるトラップ部であって、該便鉢部の底部から該トラップ部の奥側に向かう途中位置に上方に延びる上昇通路部を有するトラップ部と、前記リム通水路内の水を前記上昇通路部に排出するための水抜き通路と、を備え、前記トラップ部は、封水が貯留される封水貯溜部を有し、前記水抜き通路の一部は、前記封水貯溜部において上流端から下流端に広がる内部空間に対して左右一方側を通るように配置される。
【０００８】
この態様によれば、リム通水路内の水を水抜き通路を通してトラップ部に排出できる。よって、リム通水路内の水がリム吐水孔から便鉢部内を通してすじ状水として長期に流れ落ちるのを防止でき、便器洗浄に起因する見栄えの低下を防止できる。また、水抜き通路が封水貯溜部の内部空間に対して左右一方側を通るように配置される。よって、封水貯溜部の上壁部を通るように水抜き通路を配置しなくともよくなるため、封水貯溜部の上壁部の前後方向での厚さを薄くできる。このため、封水貯溜部の上壁部の下方を汚物が潜り抜けるまでの間に汚物が動く距離を短くでき、水抜き通路がある場合でもトラップ部を通して汚物を排出し易くなる。
【発明の効果】
【０００９】
本発明によれば、便器洗浄に起因する見栄えの低下を防止しつつ、汚物排出性能を確保し易くできる水洗大便器を提供できる。
【図面の簡単な説明】
【００１０】
【図１】第１実施形態に係る水洗大便器の平面図である。
【図２】図２は図１のＡ−Ａ線断面図である。
【図３】図２のＢ−Ｂ線断面図である。
【図４】図２の封水貯溜部の拡大図である。
【図５】図２のＣ−Ｃ線断面図である。
【図６】図２の水洗大便器を斜め上側から見た斜視断面図である。
【図７】図４のＤ−Ｄ線断面図である。
【図８】図４のＥ−Ｅ線断面図である。
【図９】封水貯溜部の通路面に凸部が形成される変形例を示す図である。
【図１０】第１実施形態に係る水洗大便器の便器本体を分解した状態を示す側面断面図である。
【図１１】第１実施形態に係る水洗大便器の便器本体を分解した状態を示す正面断面図である。
【図１２】第１実施形態に係る水洗大便器の便鉢側部分を成形する途中状態を示す図である。
【図１３】各リム通水路の内底面に形成される勾配を模式的に示す図である。
【図１４】第２実施形態に係る水洗大便器の正面断面図である。
【図１５】封水貯溜部の内部空間の内側に水抜き通路が配置される変形例を示す図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略する。
【００１２】
［第１の実施の形態］
図１は本実施形態に係る水洗大便器１０の平面図である。
水洗大便器１０は、陶器を素材とする便器本体１２を備える。便器本体１２は、トイレ室の側壁面１００に掛けた状態で取り付けられる壁掛け型便器である。
【００１３】
図２は図１のＡ−Ａ線断面図であり、図３は図２のＢ−Ｂ線断面図である。
便器本体１２は、リム部１４が上端部に形成される便鉢部１６と、リム部１４の外周側に形成される二つのリム通水路１８Ｌ、１８Ｒと、リム通水路１８Ｌ、１８Ｒ内から便鉢部１６内に吐水するための三つのリム吐水孔２０Ａ〜２０Ｃと、を備える。また、便器本体１２は、便鉢部１６の底部に接続されるトラップ部２２と、リム通水路１８Ｌ、１８Ｒ内の水をトラップ部２２に排出するための水抜き通路２４とを備える。水洗大便器１０は、水抜き通路２４に主な特徴の一つがあるが、先に周辺構造から説明する。
【００１４】
便鉢部１６は、便器本体１２の前部に形成される。便鉢部１６は、リム部１４の他に、汚物を受けるための鉢状の受け面部２６と、受け面部２６の下縁部から下方に窪むとともに便鉢部１６の底部に形成される溜水部２８と、を備える。受け面部２６は、平面視にて左右寸法より前後寸法が大きくなるような楕円状に形成される。溜水部２８の底面部にはトラップ部２２の入口２２ａが開口する。
【００１５】
リム通水路１８Ｌ、１８Ｒには、水洗大便器１０の左右中心線ＣＬに対して左右一方側となる左側に配置される左リム通水路１８Ｌ（第１リム通水路）と、その左右中心線ＣＬに対して左右他方側となる右側に配置される右リム通水路１８Ｒ（第２リム通水路）とが含まれる。左右中心線ＣＬとは、水洗大便器１０の外面部分の最大となる左右寸法Ｌｘ（図１参照）を二等分し、前後方向に沿って延びる直線をいう。なお、以下でも水洗大便器１０の左右前後を基準として各構成要素の位置関係を説明する。
【００１６】
各リム通水路１８Ｌ、１８Ｒは、各リム通水路１８Ｌ、１８Ｒに洗浄水を供給するための共通通水路３２の下流端部から左右に分岐して形成される。各リム通水路１８Ｌ、１８Ｒの分岐位置３４はリム部１４の後方に配置される。共通通水路３２には、図２に示すように、洗浄水供給装置１０２の一部となる送水管１０２ａから洗浄水が供給される。図３では、送水管１０２ａから各リム通水路１８Ｌ、１８Ｒ内への洗浄水の通水経路Ｗｐを示す。
【００１７】
左リム通水路１８Ｌは、始端側となる分岐位置３４から周方向の一方側（図３中の時計回り方向。以下、単に時計回り方向という）に延びるように形成される。左リム通水路１８Ｌの終端側には折り返し部分１８Ｌａが形成され、その折り返し部分１８Ｌａの先端部に第１リム吐水孔２０Ａが形成される。また、左リム通水路１８Ｌには、その始端側から終端側に向かう経路の途中位置から分岐する第２リム吐水孔２０Ｂが形成される。第２リム吐水孔２０Ｂは、この途中位置から便鉢部１６の内側、かつ、周方向の他方側（図３中の反時計回り方向。以下、単に反時計回り方向という）に延びるように形成される。
【００１８】
右リム通水路１８Ｒは、始端側となる分岐位置３４から反時計回り方向に延びるように形成される。右リム通水路１８Ｒの終端側には第３リム吐水孔２０Ｃが形成される。
【００１９】
左リム通水路１８Ｌに供給される洗浄水は第１リム吐水孔２０Ａ及び第２リム吐水孔２０Ｂから吐き出される。右リム通水路１８Ｒに供給される洗浄水は第３リム吐水孔２０Ｃから吐き出される。各リム吐水孔２０Ａ〜２０Ｃからは、リム部１４の内周面に沿って反時計回り方向に洗浄水が吐き出される。これにより、便鉢部１６の内面、特に、リム部１４や受け面部２６の内面を洗浄するための水流が形成される。
【００２０】
トラップ部２２は、便鉢部１６内から下水側水路（不図示）に排出される汚物の通り道となる。トラップ部２２は、図２に示すように、上流側から下流側にかけて順に、上流通路部３６と、上昇通路部３８と、下流通路部４０とを有する。上昇通路部３８は、便鉢部１６の底部からトラップ部２２の奥側に向かう途中位置に設けられることになる。上流通路部３６は、便鉢部１６の底部に連なり下方かつ後方に延びるように形成される。上昇通路部３８は、上流通路部３６の下流端部に連なり上方かつ後方に延びるように形成される。下流通路部４０は、上昇通路部３８の下流端部に連なり後方に延びるように形成される。下流通路部４０の下流端部には、トイレ室の側壁面１００から引き出される排水管１０４が接続され、トラップ部２２は排水管１０４を介して下水側水路に接続される。
【００２１】
図４は図２の封水貯溜部４４（後述する）の拡大図である。
トラップ部２２は、封水４２が貯溜される封水貯溜部４４を有する。封水４２は、トラップ部２２の通水方向での空気の流れを遮断する機能をもつ。封水貯溜部４４は、トラップ部２２の上流通路部３６と、後述する溢れ縁４６から下側に位置する上昇通路部３８の一部分とにより構成される。
【００２２】
封水貯溜部４４の内部には上流端から下流端に広がる内部空間４４ａが形成される。図４では封水貯溜部４４の上流端から下流端までの範囲Ｓａを示す。封水貯溜部４４の上流端はトラップ部２２の入口２２ａとなる。また、封水貯溜部４４の下流端は上昇通路部３８において溢れ縁４６と同じ高さ位置にある箇所となる。
【００２３】
トラップ部２２は封水４２の非洗浄時の最高水位を規定する溢れ縁４６を有する。ここでの「非洗浄時」とは、便鉢部１６内の洗浄を開始する前の待機状態にある時をいう。溢れ縁４６は、本実施形態において、上昇通路部３８の後壁面の上端縁により構成される。トラップ部２２内に溢れ縁４６を超える水が入り込んだとき、トラップ部２２内の水は溢れ縁４６より下流側に溢れ出ることで下水側水路に排出される。この結果、トラップ部２２内に残る水、つまり、封水４２の非洗浄時の最高水位が規定される。
【００２４】
封水貯溜部４４の上壁部４４ｂは、中実の板状をなし、上流通路部３６の内部空間の一部と上昇通路部３８の内部空間の一部とを前後に隔てるように配置される。便鉢部１６内から下水側水路に向けて排出される汚物は、封水貯溜部４４の上壁部４４ｂの下方を潜り抜ける。封水貯溜部４４の上壁部４４ｂは、便鉢部１６及び上流通路部３６の内部空間と上昇通路部３８の内部空間とを前後に隔てる第１隔壁部５０の下側部分を構成する。
【００２５】
水抜き通路２４の説明に移る。図５は図２のＣ−Ｃ線断面図であり、図６は図２の水洗大便器１０を斜め上側から見た斜視断面図である。
水抜き通路２４は、各リム通水路１８Ｌ、１８Ｒ内に洗浄水供給装置１０２から洗浄水を供給し終えた後に、各リム通水路１８Ｌ、１８Ｒ内の水の一部を、便鉢部１６内を通さずにトラップ部２２に排出するためのものである。これにより、各リム吐水孔２０Ａ〜２０Ｃから便鉢部１６内を通してすじ状水が長期に亘って流れ落ちるのを防止できる。
【００２６】
水抜き通路２４は、左リム通水路１８Ｌ側から封水貯溜部４４の内部空間４４ａ側にかけて、縦通路５２と、拡散通路５４を有する。縦通路５２の上流端部には、左リム通水路１８Ｌ内から水抜き通路２４内に洗浄水を導入するための水導入口５６が形成される。水導入口５６は、本実施形態において、左リム通水路１８Ｌの内底面に開口する。拡散通路５４の下流端部には水抜き通路２４内から封水貯溜部４４の内部空間４４ａ内に水を排出するための排水口５８が形成される。排水口５８は、封水貯溜部４４の内部空間４４ａに対して水洗大便器１０の左側（図５中右側）に配置され、水洗大便器１０の右側（図５中左側）に開放している。
【００２７】
縦通路５２の一部及び拡散通路５４は、図４〜図６に示すように、封水貯溜部４４の上壁部４４ｂを通らずに、封水貯溜部４４の内部空間４４ａに対して水洗大便器１０の左側を通るように配置される。縦通路５２の一部及び拡散通路５４は、上流通路部３６の内部空間と上昇通路部３８の内部空間とで前後に挟まれた位置を通らないように配置されることになる。別の観点からいうと、水抜き通路２４の一部は、図４に示すように、便器本体１２を側方から見たとき、封水貯溜部４４の内部空間４４ａと重なる位置を通るように配置されるともいえる。さらに別の観点からいうと、水抜き通路２４の一部は、水洗大便器１０の右側（左右他方側。図５中左側）にある封水貯溜部４４の側壁部４４ｃに対して、水洗大便器１０の左側（左右一方側。図５中右側）を通るように配置されるともいえる。
【００２８】
縦通路５２は、図５に示すように、直線状に延びるように形成される。また、縦通路５２は、鉛直方向に沿って延びるように形成される。ここでの「鉛直方向に沿って延びるように」とは、縦通路５２の中心軸線の延びる方向が鉛直面と完全に平行な場合と、鉛直面とほぼ平行な場合とが含まれる。ここでの「鉛直面とほぼ平行な場合」とは、縦通路５２の中心軸線の延びる方向の鉛直面に対する角度が０°超１０°以下の場合をいう。
【００２９】
縦通路５２の下流端部には、水抜き通路２４内において左リム通水路１８Ｌ側から封水貯溜部４４の内部空間４４ａ側に向かう水の流れを絞るための第１絞り孔６０が形成される。第１絞り孔６０は、水抜き通路２４において左リム通水路１８Ｌからトラップ部２２に至る経路でトラップ部２２寄りの位置に配置される。第１絞り孔６０は上昇通路部３８内から水抜き通路２４の縦通路５２内への汚水の逆流を制限するためのものである。
【００３０】
拡散通路５４は、第１絞り孔６０を通る水の流れを広げるように形成される。第１絞り孔６０を通った水は拡散通路５４内で拡散し、第１絞り孔６０を通る前よりも水勢が弱められる。
【００３１】
拡散通路５４は第１絞り孔６０を通った水の流れ方向を下向きから右向き（図５中左向き）に変えて排水口５８に誘導するように形成される。拡散通路５４は、第１絞り孔６０から見て下流側に、第１絞り孔６０を通った水が突き当たる壁部５４ａがある形状となる。第１絞り孔６０を通った水は拡散通路５４の壁部５４ａに当たることで、第１絞り孔６０を通る前よりも水勢が更に弱められる。
【００３２】
図７は図４のＤ−Ｄ線断面図であり、図８は図４のＥ−Ｅ線端面図である。
封水貯溜部４４は、図４〜図８に示すように、封水貯溜部４４の上流端から下流端までの範囲Ｓａにおいて、内側に突き出る段差がなく滑らかに連なるように形成される通路面６４を内側に有する。通路面６４は、封水貯溜部４４の左右の両側壁部４４ｃと下壁部４４ｄの内面により形成される。
【００３３】
上昇通路部３８の封水貯溜部４４には、左側壁部４４ｃの通路面６４より封水貯溜部４４の径方向外側に凹む凹部６６が形成される。凹部６６は封水貯溜部４４の上下方向の途中位置から上昇通路部３８の上端部にかけての範囲に形成される。
【００３４】
縦通路５２を形成する壁部の一部は、縦通路５２の内部空間と封水貯溜部４４の内部空間４４ａとを左右に隔てる第２隔壁部６２を構成する。第２隔壁部６２は封水貯溜部４４の上下方向での途中位置から上昇通路部３８の上端部にかけての範囲に設けられる。第２隔壁部６２は、図７に示すように、トラップ部２２の周囲の壁部と分離せずに前後に連なるように形成される。本図では、トラップ部２２の壁部となる封水貯溜部４４の左側壁部４４ｃと前後に連なるように形成される例を示すが、溢れ縁４６より上側においてもトラップ部２２の壁部と前後に連なるように形成されている。
【００３５】
縦通路５２の第２隔壁部６２は、図４〜図７に示すように、凹部６６の開口縁６６ａより封水貯溜部４４の径方向外側に収まるように配置される。この開口縁６６ａは、封水貯溜部４４の通路面６４と凹部６６の内壁面との境界位置となる。これにより、水抜き通路２４を形成する第２隔壁部６２は、封水貯溜部４４の左側壁部４４ｃの通路面６４に凸部を形成しないように設けられる。ここでの凸部６８とは、たとえば、図９に示すように、封水貯溜部４４の左右の両側壁部４４ｃと下壁部４４ｄの通路面６４において、封水貯溜部４４の径方向内側に突き出るように形成される部位をいう。この凸部６８は、封水貯溜部４４内を上流側から下流側に向かう途中位置（図９では上側に向かう途中位置）に形成される段差となる。この凸部６８は封水貯溜部４４内を流れる洗浄水や汚物の抵抗となる。
【００３６】
また、第２隔壁部６２は、図５に示すように、上方に向かうにつれて、トラップ部２２の径方向外側に傾斜するように形成される。水抜き通路２４を形成する第２隔壁部６２は、上方に向かう途中位置で、トラップ部２２の径方向内側に突き出ないように形成されることになる。
【００３７】
以上の水洗大便器１０によれば、各リム通水路１８Ｌ、１８Ｒ内の水を水抜き通路２４を通してトラップ部２２内に排出できる。よって、各リム通水路１８Ｌ、１８Ｒ内の水が各リム吐水孔２０Ａ〜２０Ｃから便鉢部１６内を通してすじ状水として長期に流れ落ちるのを防止でき、便器洗浄に起因する見栄えの低下を防止できる。
【００３８】
また、水抜き通路２４の一部が封水貯溜部４４の内部空間４４ａに対して左側を通るように配置される。よって、水抜き通路２４を封水貯溜部４４の上壁部４４ｂを通るように配置しなくともよくなるため、封水貯溜部４４の上壁部４４ｂの前後方向での厚さを薄くできる。このため、封水貯溜部４４の上壁部４４ｂの下方側を汚物が潜り抜けるまでの間に汚物が動く距離を短くでき、水抜き通路２４がある場合でもトラップ部２２を通して汚物を排出し易くなる。これらの結果、便器洗浄に起因する見栄えの低下を防止しつつ、汚物排出性能を確保し易くなる。
【００３９】
また、水抜き通路２４の内部通路を形成する第２隔壁部６２は、封水貯溜部４４の通路面６４に凸部を形成しないように設けられる。よって、封水貯溜部４４内を上流側から下流側に向かって流れる水や汚物に抵抗が付与され難くなり、より汚物排出性能を確保し易くなる。
【００４０】
また、水抜き通路２４を形成する壁部の一部は、水抜き通路２４の内部空間とトラップ部２２の内部空間とを左右に隔てる第２隔壁部６２を構成する。よって、水抜き通路２４を形成する壁部とトラップ部２２の内部通路を形成する壁部とを分離させるよりも、水抜き通路２４とトラップ部２２との合計での左右寸法を抑えられ、水洗大便器１０の左右寸法の小型化に寄与する。
【００４１】
また、水抜き通路２４は拡散通路５４を有している。よって、水抜き通路２４を通る水は拡散通路５４で拡散することで水勢が弱められ、水抜き通路２４から弱水勢の水を封水貯溜部４４の内部空間４４ａに排出できる。このため、便器洗浄時、水抜き通路２４から排出される水によって、封水貯溜部４４内を上流側から下流側に向かって流れる水や汚物に影響が及び難くなり、汚物排出性能を更に確保し易くなる。
【００４２】
また、拡散通路５４は水の流れ方向を変えて封水貯溜部４４内に水を排出するように形成される。よって、拡散通路５４内を通る水は拡散通路５４の内壁面と当たることで水勢が更に弱められ、水抜き通路２４から更に弱水勢の水を封水貯溜部４４の内部空間４４ａに排出できる。このため、便器洗浄時、水抜き通路２４から排出される水によって、封水貯溜部４４内を上流側から下流側に向かって流れる水や汚物に更に影響が及び難くなり、汚物排出性能を更に確保し易くなる。
【００４３】
なお、水抜き通路２４の一部は、図２に示すように、封水４２内に水没しており、水抜き通路２４とトラップ部２２の間での空気の流れが封水４２により遮断された状態（以下、遮断状態という）になっている。水抜き通路２４は、図５に示すように、水抜き通路２４を遮断状態にできる封水４２の遮断水位のうち、最低水位となる最低遮断水位を規定する最低遮断水位規定部６９を有する。最低遮断水位規定部６９は、水抜き通路２４の上流端となる水導入口５６から下流端となる排水口５８に向かう経路にある、水抜き通路２４の上壁面の下端箇所により構成される。封水４２の水位が最低遮断水位規定部６９を下回ると、水抜き通路２４とトラップ部２２の間で空気が流通可能な状態になる。封水４２の水位が最低遮断水位規定部６９以上になると、遮断状態になる。
【００４４】
この最低遮断水位規定部６９は、溢れ縁４６に対して下方に５０ｍｍ以上の距離Ｌ１を空けて配置される。これにより、封水４２の水位が乾燥等により下がった場合でも、水抜き通路２４の封水４２による遮断状態を長期間に亘り維持できる。よって、下水側水路から水抜き通路２４を通して臭いが逆流するのを長期間に亘り安定して防止できる。なお、この数値条件は本発明者の実験的検討に基づき設定している。距離Ｌ１の上限値は特に限定しないが、たとえば、溢れ縁４６からトラップ部２２の通路面６４の最低位置までの距離が上限値となる。また、本実施形態に係る最低遮断水位規定部６９は封水貯溜部４４の上壁部４４ｂの下端に対して下方に配置されている。
【００４５】
次に水洗大便器１０の製造方法を説明する。図１０、図１１は水洗大便器１０の便器本体１２を分解した状態を示す図であり、図１０は図２と同様の視点から見た図であり、図１１は図５と同様の視点から見た図である。
水洗大便器１０は、便器本体１２を上下に分割した形状の上面側部分７０と便鉢側部分７２を備える。上面側部分７０は、便器本体１２の上面部１２ａと、共通通水路３２を画定する壁部３２ａを含む部分である。便鉢側部分７２は、上面側部分７０より下側の部分である。便鉢側部分７２は便鉢部１６の大部分を含む部分である。上面側部分７０と便鉢側部分７２の境界位置は各リム通水路１８Ｌ、１８Ｒを上下に分割する位置となるように設定される。便鉢側部分７２のリム通水路１８Ｌ、１８Ｒは上側に開放した形状となる。上面側部分７０は、便鉢側部分７２に接合されたとき、リム通水路１８Ｌ、１８Ｒを上側から塞ぐように配置される。
【００４６】
便器本体１２は、これら上面側部分７０及び便鉢側部分７２それぞれの焼成前の便器素地を鋳込み成型により別々に成型し、これらを接着等により接合した後、乾燥、施釉、焼成等の後工程を経ることで得られる。以下、便鉢側部分７２の便器素地の製造方法を主に説明する。
【００４７】
図１２は水洗大便器１０の便鉢側部分７２の便器素地を成形する途中状態を示す図である。
便鉢側部分７２は複数の型１１０〜１１４を用いた鋳込み成形により得られる。鋳込み成形は、複数の型１１０〜１１４を型合わせすることによって、便器素地を成形するための型空間１１６を形成する工程と、複数の型１１０〜１１４により形成される型空間１１６内に未硬化状態の泥しょうを注入する工程とが含まれる。型１１０〜１１４は、石膏等の吸水性をもつ素材により構成される。泥しょうは各型１１０〜１１４の表面に沿って硬化し、便鉢側部分７２の便器素地１２０が得られる。鋳込み成形は、さらに、便鉢側部分７２の便器素地１２０内に残る未硬化状態の泥しょうを排出する工程と、各型１１０〜１１４を便器素地１２０から脱型する工程とを含む。本図では各型１１０〜１１４を便器素地１２０から脱型する直前の状態を示す。
【００４８】
型１１０〜１１４は、本例では、上側に配置される上型１１０と、下側に配置される下型１１１と、左右両側に配置される左型１１２及び右型１１３とが用いられる。各型１１０〜１１３は水洗大便器１０の便鉢側部分７２に応じた形状の成形面１１０ａ、１１１ａ、１１２ａ、１１３ａを有する。
【００４９】
上型１１０の成形面１１０ａは便鉢側部分７２の上方に面する部位を成形するためのものである。上型１１０の成形面１１０ａは各リム通水路１８Ｌ、１８Ｒの内底面をかたどった形状を少なくとも持つ。また、上型１１０の成形面１１０ａは、図示しないが、便鉢部１６の内面もかたどった形状も持つ。下型１１１の成形面１１１ａは便鉢側部分７２の下方に面する部位を成形するためのものである。下型１１１の成形面１１１ａはトラップ部２２の下壁部及び両側壁部をかたどった形状を少なくとも持つ。左型１１２の成形面１１２ａ及び右型１１３の成形面１１３ａは便鉢側部分７２の左右両側方に面する部位を成形するためのものである。上型１１０及び下型１１１は互いの成形面１１０ａ、１１１ａを上下に対向させて配置され、左型１１２及び右型１１３も互いの成形面１１２ａ、１１３ａを左右に対向させて配置される。各成形面１１０ａ、１１１ａの間には便器素地を成形するための型空間１１６が形成される。
【００５０】
ここで、複数の型１１０〜１１４には、水抜き通路２４の縦通路５２を成形するための棒状の型部材１１４が含まれる。型部材１１４は縦通路５２の内面を成形するための成形面１１４ａを有する。上型１１０には成形面１１０ａを貫通する差込穴１１０ｂが形成され、型部材１１４は上型１１０の差込穴１１０ｂに対して抜き差しされる。このとき、型部材１１４は、差込穴１１０ｂの軸線方向であって、各型１１０〜１１４内の型空間１１６に近づく方向に差し込まれる。
【００５１】
この状態で複数の型１１０〜１１４内の型空間１１６内には未硬化状態の泥しょうが注入される。この後、前述のように泥しょうを排出し、各型１１０〜１１４を便器素地１２０から脱型する。ここでは、上型１１０の差込穴１１０ｂから型部材１１４を抜き出すことで型部材１１４を先に脱型してから、他の型１１０〜１１３を脱型する。このとき、型部材１１４の脱型方向Ｐａは、差込穴１１０ｂの軸線方向であって、各型１１０〜１１３内の型空間１１６から離れる方向に抜き出される。一方、上型１１０の脱型方向Ｐｂは、型部材１１４の脱型方向Ｐａとは異なる方向、より詳しくは、型部材１１４の脱型方向Ｐａと平行な仮想面に対して傾斜した方向となる。このように型部材１１４を先に脱型することで、上型１１０の脱型方向Ｐｂと型部材１１４の脱型方向Ｐａとが異なる方向の場合でも、上型１１０、型部材１１４のそれぞれをスムーズに脱型できる。
【００５２】
本実施形態に係る水抜き通路２４の縦通路５２は、直線状に延びるように形成され、上側に向けて開放する水導入口５６を有する。よって、鋳込み成形時、上型１１０の差込穴１１０ｂに棒状の型部材１１４を差し込むだけで、水抜き通路２４の縦通路５２を成形できる形状となり、水抜き通路２４がある便器本体１２を容易に製造できる。
【００５３】
なお、型部材１１４の外周面は先端側に向かうにつれて先細りするようにテーパー状に形成されている。これにより、水抜き通路２４の縦通路５２の内面は、水導入口５６から下方に向かうにつれてすぼまるようにテーパー状に形成される。このような形状とすることで、型部材１１４の外周面には、いわゆる抜き勾配が設けられることになる。よって、上型１１０の差込穴１１０ｂから型部材１１４を抜き出し易くなり、水抜き通路２４がある便器本体１２を更に容易に製造できる。
【００５４】
次に、水洗大便器１０の他の特徴を説明する。
図５を参照する。水抜き通路２４の上流端部には段差面７４が形成される。段差面７４は左リム通水路１８Ｌに臨むように形成される。水洗大便器１０は水抜き通路２４内に取り付けられる取付部材７６を更に備える。取付部材７６は段差面７４上に載せられた状態で接着等により取り付けられる。取付部材７６は水抜き通路２４の内部空間を横断するように取り付けられる。
【００５５】
取付部材７６は板状を呈し、左リム通水路１８Ｌ側からトラップ部２２側に向かって水を流すための貫通孔となる第２絞り孔７６ａが形成される。第２絞り孔７６ａは、水抜き通路２４において左リム通水路１８Ｌからトラップ部２２に至る経路で左リム通水路１８Ｌ寄りの位置に配置される。第２絞り孔７６ａは水抜き通路２４内において左リム通水路１８Ｌ側から封水貯溜部４４の内部空間４４ａ側に向かう水の流れを絞るためのものである。第２絞り孔７６ａは、各リム通水路１８Ｌ、１８Ｒ内が洗浄水で満たされたとき、各リム通水路１８Ｌ、１８Ｒ内から水抜き通路２４内への洗浄水の流入を制限することで、各リム吐水孔２０Ａ〜２０Ｃから吐き出される洗浄水量を高める機能をもつ。
【００５６】
以上の水洗大便器１０によれば、水抜き通路２４に第２絞り孔７６ａがある取付部材７６が取り付けられるため、水抜き通路２４の内径寸法と第２絞り孔７６ａの内径寸法とを別々の大きさに設定できる。よって、水抜き通路２４の内径寸法は、前述の型部材１１４の強度を確保するのに適した大寸法に設定できる。また、第２絞り孔７６ａの内径寸法は、水抜き通路２４からトラップ部２２内に排出される水の水勢を抑えるのに適した小寸法に設定できる。これにより、便器洗浄時、水抜き通路２４から排出される水によって、封水貯溜部４４の内部空間４４ａ内の上流側から下流側に向かう水流に影響が及び難くなり、汚物排出性能を確保し易くなる。このように、水洗大便器１０に水抜き通路２４を備え付ける場合において、水抜き通路２４の成形に用いられる型部材１１４の強度を確保しつつ、汚物排出性能を確保し易くなる。
【００５７】
図１３は各リム通水路１８Ｌ、１８Ｒの内底面に形成される勾配を模式的に示す図である。本図では高位置から低位置に向かう勾配を矢印により示す。
各リム通水路１８Ｌ、１８Ｒの内底面には、各リム吐水孔２０Ａ〜２０Ｃから奥側に向かうにつれて下り傾斜となる勾配が設けられる。
【００５８】
詳しくは、左リム通水路１８Ｌの内底面には第１リム吐水孔２０Ａが高位置となり、各リム通水路１８Ｌ、１８Ｒの分岐位置３４側が低位置となる第１勾配８０Ａが設けられる。また、左リム通水路１８Ｌの内底面には第２リム吐水孔２０Ｂが高位置となり、第１勾配８０Ａのある内底面の途中位置が低位置となる第２勾配８０Ｂが設けられる。また、右リム通水路１８Ｒの内底面には第３リム吐水孔２０Ｃが高位置となり、各リム通水路１８Ｌ、１８Ｒの分岐位置３４側が低位置となる第３勾配８０Ｃが設けられる。
【００５９】
以上の勾配８０Ａ〜８０Ｃにより、水抜き通路２４の水導入口５６は、各リム吐水孔２０Ａ〜２０Ｃより低位置に少なくとも一部が配置される。本実施形態に係る水導入口５６は、各リム吐水孔２０Ａ〜２０Ｃより低位置に全体が配置される。
【００６０】
以上の構成の利点を説明する。洗浄水供給装置１０２からの洗浄水の供給が終了すると、各リム通水路１８Ｌ、１８Ｒ内の水は、各リム吐水孔２０Ａ〜２０Ｃの他に、水導入口５６を通して水抜き通路２４から排出される。ここで、各リム吐水孔２０Ａ〜２０Ｃの下縁近くまで各リム通水路１８Ｌ、１８Ｒ内の水位が下がった状況を考える。この状況のとき、各リム通水路１８Ｌ、１８Ｒの内底面上に残留する残留水は、各リム吐水孔２０Ａ〜２０Ｃより低位置にある水導入口５６を通して水抜き通路２４から排出でき、各リム吐水孔２０Ａ〜２０Ｃを通して便鉢部１６内に流れる水の量を減らし易くなる。なお、ここでの「残留水」には、便器洗浄に用いられる洗浄水や、便器洗浄後に封水４２を溜めるための補給水として、洗浄水供給装置１０２から供給される水が含まれる。
【００６１】
また、各リム通水路１８Ｌ、１８Ｒ内の水位が下がる過程において、各リム通水路１８Ｌ、１８Ｒの内底面上の水を、第１勾配８０Ａ〜第３勾配８０Ｃにより、水導入口５６まで自重によって導き易くなる。よって、各リム通水路１８Ｌ、１８Ｒの内底面上の水を水抜き通路２４を通して排出し易くなり、各リム吐水孔２０Ａ〜２０Ｃを通して便鉢部１６内に流れる水の量を減らし易くなる。
【００６２】
ここで、図３、図５に示すように、各リム通水路１８Ｌ、１８Ｒの分岐位置３４には水溜部８２が形成される。水溜部８２は左リム通水路１８Ｌ及び右リム通水路１８Ｒのそれぞれの上流端部に形成されることになる。水溜部８２は、各リム通水路１８Ｌ、１８Ｒの上流側に向かうにつれて、つまり、各リム通水路１８Ｌ、１８Ｒの分岐位置３４に近づくにつれて、内底面が低位置に配置されるように下向きに窪んで形成される。水溜部８２は、各リム吐水孔２０Ａ〜２０Ｃより低位置であって、かつ、水導入口５６より低位置に少なくとも一部が配置される。これにより、便器洗浄が完了した後、ある程度の水を水溜部８２内に溜めた状態で残すことができる。図５では水溜部８２内に残る水の水位ＷＬｃを一点鎖線で示す。
【００６３】
以上の構成によれば、各リム通水路１８Ｌ、１８Ｒ内の水を水抜き通路２４を通してトラップ部２２に排出した後でも、各リム通水路１８Ｌ、１８Ｒ内の水の一部を水溜部８２内に残すことができる。よって、洗浄水供給装置１０２から洗浄水を供給するとき、各リム通水路１８Ｌ、１８Ｒ内を早期に満水状態にでき、各リム通水路１８Ｌ、１８Ｒから各リム吐水孔２０Ａ〜２０Ｃを通して高水圧の洗浄水を早期に吐き出せるようになる。
【００６４】
図４、図５を参照する。水抜き通路２４の排水口５８の中心を通る軸線Ｌａに沿った方向を軸線方向Ｐｃとする。本実施形態に係る排水口５８の軸線方向Ｐｃは図５では左右方向となり、図４の紙面に直交する方向となる。つまり、図４は排水口５８の軸線方向Ｐｃから見た図となる。水抜き通路２４からトラップ部２２内に洗浄水が排出されるとき、水抜き通路２４の排水口５８からは軸線方向Ｐｃに沿うように洗浄水が排出される。つまり、排水口５８の軸線方向Ｐｃから見たとき、排水口５８と重なる範囲は、排水口５８から洗浄水が排出される洗浄水が直線的に流れるとしたとき、その直線的に流れる洗浄水が通る範囲になるといえる。
【００６５】
また、封水貯溜部４４において便鉢部１６から排出される洗浄水の流れ方向に沿う通路中心線をＬｂとする。通路中心線Ｌｂは、封水貯溜部４４において洗浄水の流れ方向に直交する断面での封水貯溜部４４の内部空間４４ａの幾何学的な重心位置を、封水貯溜部４４の上流端から下流端までの範囲で流れ方向に連ねた線をいう。
【００６６】
水抜き通路２４の排水口５８は、前述の軸線方向Ｐｃから見て（図４の視点から見て）、封水貯溜部４４の通路中心線Ｌｂに対して重ならない位置に配置される。排水口５８は、この軸線方向Ｐｃから見て、封水貯溜部４４の通路中心線Ｌｂに対してずれた位置に配置されるともいえる。これにより、水抜き通路２４の排水口５８から封水貯溜部４４の通路中心線Ｌｂをそれた位置に向けて洗浄水が排出されることになる。よって、水抜き通路２４の排水口５８から排出される洗浄水によって、封水貯溜部４４内を通路中心線Ｌｂに沿って流れる洗浄水の流れが阻害され難くなり、汚物排出性能を確保し易くなる。
【００６７】
［第２の実施の形態］
図１４は第２実施形態に係る水洗大便器１０の正面断面図である。
図５では、水抜き通路２４の排水口５８は、上昇通路部３８において封水貯溜部４４の内部空間４４ａに対して左側に配置される例を説明した。本例では、水抜き通路２４の排水口５８は、上昇通路部３８において封水貯溜部４４の内部空間４４ａに対して下方側に配置され、便器本体１２の上方側に開放している。このように水抜き通路２４の排水口５８は、封水貯溜部４４の内部空間４４ａに対して左右一方側又は下方側に配置されていればよい。
【００６８】
この水抜き通路２４の排水口５８からは、上昇通路部３８内において上下方向に延びる壁面６２ａに沿うように上向きに水が排出される。この壁面６２ａとは、本実施形態において、トラップ部２２の内部空間側にある水抜き通路２４の第２隔壁部６２の壁面である。
【００６９】
これにより、上昇通路部３８内での洗浄水や汚物の流れ方向と同じ上向きに水抜き通路２４の排水口５８から水を排出できる。よって、便器洗浄時、水抜き通路２４から排出される水によって、封水貯溜部４４の内部空間４４ａ内の上流側から下流側に向かって流れる水や汚物に影響が及び難くなり、汚物排出性能を更に確保し易くなる。
【００７０】
なお、本実施形態では、水抜き通路２４の上流端部が左リム通水路１８Ｌの内底面から突き出る筒状部８４内に形成され、筒状部８４の上端開口が水導入口５６を構成する。これにより、水溜部８２の奥底位置から水導入口５６までの高さが大きくなり、水抜き通路２４の水導入口５６を通して水溜部８２内の水が排出され難くなる。この結果、水溜部８２内に残る水の量を増やすことができ、洗浄水供給装置１０２から洗浄水を供給するとき、各リム通水路１８Ｌ、１８Ｒ内を更に早期に満水状態にできる。
【００７１】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００７２】
水洗大便器１０は、洗い落し式、サイホン式等の洗浄方式により便鉢部１６内を洗浄してもよい。水洗大便器１０は、水道直圧式、重力給水式等の給水方式が用いられてもよい。便器本体１２は壁掛け式便器を例に説明したが、トイレ室の床面上に設置される床置き式便器でもよい。また、便器本体１２は陶器の他に樹脂等を素材としてもよい。
【００７３】
また、本実施形態に係るトラップ部２２は、トイレ室の側壁面１００から引き出される排水管１０４を通して排水するため、トラップ部２２の下流通路部４０が側壁面１００に向けて水平に延びるように形成される、いわゆるＰトラップの構造を例に説明した。この他に、トラップ部２２は、トイレ室の床面から引き出される排水管を通して排水するため、トラップ部２２の下流通路部４０が床面に向けて鉛直に延びるように形成される、いわゆるＳトラップの構造であってもよい。
【００７４】
また、本実施形態に係るトラップ部２２の上昇通路部３８と便鉢部１６との間には、これらを前後に隔てる中実の板状の第１隔壁部５０が配置される例を説明した。この他にも、これらの間には、これらを前後に隔てる複数の壁部が中空空間を挟んで配置されてもよい。
【００７５】
リム部１４に形成されるリム吐水孔２０Ａ〜２０Ｃの数は特に限られず、三つの他に、一つ、二つ、四つ以上でもよい。リム吐水孔２０Ａ〜２０Ｃからの洗浄水の吐き出し方向は特に限られず、便鉢部１６の内周面に沿った周方向の一方側に吐き出す場合の他、下向きに吐き出してもよい。リム部１４の外周側には左リム通水路１８Ｌ及び右リム通水路１８Ｒのうちの一方のみが形成されていてもよい。
【００７６】
水抜き通路２４は、封水貯溜部４４の内部空間４４ａに対して便器本体１２の左右一方側を通るように配置されていればよく、図８のように便器本体１２の左側ではなく、便器本体１２の右側を通るように配置されていてもよい。また、図８では、水抜き通路２４は、封水貯溜部４４の内部空間４４ａの外側に配置される例を説明した。この他にも、図１５に示すように、水抜き通路２４は、封水貯溜部４４の内部空間４４ａの内側に配置されてもよい。この場合でも、封水貯溜部４４の内部空間４４ａの一部に対して、便器本体１２の左右一方側を通るように水抜き通路２４が配置されることになる。
【００７７】
水抜き通路２４を形成する壁部として第２隔壁部６２が、封水貯溜部４４の通路面６４に凸部を形成しないように設けられる例を説明した。このような水抜き通路２４の壁部は第２隔壁部６２に限られない。また、このような条件を満たすうえで、水抜き通路２４の壁部（第２隔壁部６２）は、凹部６６の開口縁６６ａより封水貯溜部４４の径方向外側に収まるように配置される例を説明した。この他にも、封水貯溜部４４の内部空間４４ａ側にある水抜き通路２４の第２隔壁部６２の内面が通路面６４の一部となるように形成し、水抜き通路２４の排水口５８を通路面６４より凹むように形成することで、このような条件を満たしてもよい。
【００７８】
また、水抜き通路２４は、水抜き通路２４の内部空間とトラップ部２２の内部空間とを左右に隔てる第２隔壁部６２を有する例を説明したが、水抜き通路２４は第２隔壁部６２を有していなくともよい。この場合、水抜き通路２４の内部空間とトラップ部２２の内部空間との間に他の空間が配置されてもよい。
【００７９】
また、水抜き通路２４の拡散通路５４は、水抜き通路２４において第１絞り孔６０に対してトラップ部２２側に連なる位置に形成される例を説明した。拡散通路５４は、水抜き通路２４を通る水の流れを広げて拡散可能な形状であればよく、第１絞り孔６０に対してトラップ部２２側に連なる位置に形成されていなくともよい。
【００８０】
取付部材７６の水抜き通路２４に対する取付位置は特に限られず、水抜き通路２４の上流端部の他に、その通水方向の途中位置や下流端部に取り付けられてもよい。
【００８１】
以上の実施形態、変形例により具体化される発明を一般化すると、以下の技術的思想が導かれる。
【００８２】
前述の課題を解決するための手段に記載の態様の水洗大便器は、前記封水貯溜部は、その上流端から下流端までの範囲で連なるように形成される通路面を内側に有し、前記水抜き通路を形成する壁部は、前記通路面に凸部を形成しないように設けられてもよい。
この態様によれば、封水貯溜部内を上流側から下流側に向かって流れる水や汚物に抵抗が付与され難くなり、より汚物排出性能を確保し易くなる。
【００８３】
前述の態様の水洗大便器は、前記水抜き通路を形成する壁部の一部は、該水抜き通路の内部空間と前記トラップ部の内部空間とを左右に隔てる隔壁部を構成してもよい。
この態様によれば、水抜き通路を形成する壁部とトラップ部の内部通路を形成する壁部とを分離させるよりも、水抜き通路とトラップ部との合計での左右寸法を抑えられる。
【００８４】
前述の態様の水洗大便器は、前記水抜き通路の排水口は、前記上昇通路部の内部空間に対して下方側に配置され、該上昇通路部内に上向きに水を排出するように形成されてもよい。
この態様によれば、上昇通路部内での洗浄水や汚物の流れ方向と同じ上向きに水抜き通路の排水口から水を排出できる。よって、便器洗浄時、水抜き通路から排出される水によって、封水貯溜部内を上流側から下流側に向かって流れる水や汚物に影響が及び難くなり、汚物排出性能を更に確保し易くなる。
【００８５】
前述の態様の水洗大便器は、前記水抜き通路は、該水抜き通路を通る水の流れを広げて拡散させるための拡散通路を有してもよい。
この態様によれば、水抜き通路を通る水は拡散通路で拡散することで水勢が弱められ、水抜き通路から弱水勢の水を封水貯溜部の内部空間に排出できる。よって、便器洗浄時、水抜き通路から排出される水によって、封水貯溜部内を上流側から下流側に向かって流れる水や汚物に影響が及び難くなり、汚物排出性能を更に確保し易くなる。
【００８６】
前述の態様の水洗大便器は、前記拡散通路は、水の流れ方向を変えて前記封水貯溜部内に水を排出するように形成されてもよい。
この態様によれば、拡散通路を通る水は拡散通路の内壁面と当たることで水勢が更に弱められ、水抜き通路から更に弱水勢の水を封水貯溜部の内部空間に排出できる。よって、便器洗浄時、水抜き通路から排出される水によって、封水貯溜部内を上流側から下流側に向かって流れる水や汚物に更に影響が及び難くなり、汚物排出性能を更に確保し易くなる。
【００８７】
前述の態様の水洗大便器は、前記水抜き通路は、前記上昇通路部内から該水抜き通路内への汚水の逆流を制限するための第１絞り孔を有してもよい。
【００８８】
前述の態様の水洗大便器は、前記水抜き通路は、前記リム通水路内から該水抜き通路内への洗浄水の流入を制限するための第２絞り孔を有してもよい。
【００８９】
前述の態様の水洗大便器は、前記トラップ部は、前記封水の非洗浄時の最高水位を規定する溢れ縁を有し、前記水抜き通路は、該水抜き通路と前記上昇通路部の間での空気の流れを遮断した状態にできる前記封水の最低遮断水位を規定する最低遮断水位規定部を有し、前記最低遮断水位規定部は、前記溢れ縁に対して下方に５０ｍｍ以上の距離を空けて配置されてもよい。
この態様によれば、トラップ部内の封水が乾燥により水位が下がった場合でも、水抜き通路とトラップ部の間での空気の流れを封水により遮断した状態を長期間に亘り維持できる。よって、下水側水路から水抜き通路を通って臭いが逆流するのを長期間に亘り防止できる。
【００９０】
前述の態様の水洗大便器は、前記水抜き通路は、直線状に延びるように形成される縦通路を有し、前記縦通路は、上側に向けて開放する水導入口を有していてもよい。
この態様によれば、鋳込み成形時、型枠に棒状の型部材を差し込むだけで、水抜き通路の縦通路を成形できる形状となり、水抜き通路がある便器本体を容易に製造できる。
【００９１】
前述の態様の水洗大便器は、前記リム通水路には、前記水抜き通路の水導入口より低位置に水溜部が形成されてもよい。
この態様によれば、リム通水路内の水を水抜き通路を通してトラップ部に排出した後でも、リム通水路内の水の一部を水溜部内に残すことができる。よって、洗浄水供給装置から洗浄水を供給するとき、リム通水路内を早期に満水状態にでき、リム通水路からリム吐水孔を通して高水圧の洗浄水を早期に吐き出せるようになる。
【００９２】
前述の態様の水洗大便器は、前記水抜き通路の排水口は、該排水口の軸線方向から見て、前記封水貯溜部における洗浄水の流れ方向に沿う中心線に対して重ならない位置に配置されてもよい。
この態様によれば、水抜き通路の排水口から封水貯溜部の通路中心線をそれた位置に向けて洗浄水が排出されることになる。よって、水抜き通路の排水口から排出される洗浄水によって、封水貯溜部内を通路中心線に沿って流れる洗浄水の流れが阻害され難くなり、汚物排出性能を確保し易くなる。
【００９３】
本発明の他の態様は便器素地の製造方法である。便器素地の製造方法は、上面側部分と、前記上面側部分より下側の便鉢側部分とを接合して構成される便器本体における前記便鉢側部分の便器素地の製造方法であって、前記便器本体は、リム部が上端部に形成される便鉢部と、前記リム部の外周側に形成されるリム通水路と、前記リム通水路内から前記便鉢部内に吐水するためのリム吐水孔と、前記便鉢部の底部に接続されるトラップ部であって、該便鉢部の底部から該トラップ部の奥側に向かう途中位置に上方に延びる上昇通路部を有するトラップ部と、前記リム通水路内の水を前記上昇通路部に排出するための水抜き通路と、を備え、複数の型を型合わせすることによって、前記便器素地を成形するための型空間を形成する工程を含み、前記複数の型には、前記リム通水路の内底面を成形するための成形面を有し、前記成形面を貫通する差込穴が形成される上型と、前記水抜き通路の内面を成形するための成形面を有し、前記差込穴に対して抜き差しされる型部材と、が含まれることを特徴とする。
この態様によれば、上型の差込穴に型部材を差し込むだけで、水抜き通路の一部を成形でき、水抜き通路がある便器本体を容易に製造できる。
【符号の説明】
【００９４】
１０…水洗大便器、１４…リム部、１６…便鉢部、１８Ｌ…左リム通水路（第１リム通水路）、１８Ｒ…右リム通水路（第２リム通水路）、２０Ａ…第１リム吐水孔、２０Ｂ…第２リム吐水孔、２０Ｃ…第３リム吐水孔、２２…トラップ部、２４…水抜き通路、３８…上昇通路部、４２…封水、４４…封水貯溜部、４６…溢れ縁、５２…縦通路、５４…拡散通路、５６…水導入口、５８…排水穴、６０…第１絞り孔、６４…通路面、６８…凸部、７６…取付部材、７６ａ…第２絞り孔、８２…水溜部。
【図１】
0006422838.tif 000002
【図２】
0006422838.tif 000003
【図３】
0006422838.tif 000004
【図４】
0006422838.tif 000005
【図５】
0006422838.tif 000006
【図６】
0006422838.tif 000007
【図７】
0006422838.tif 000008
【図８】
0006422838.tif 000009
【図９】
0006422838.tif 000010
【図１０】
0006422838.tif 000011
【図１１】
0006422838.tif 000012
【図１２】
0006422838.tif 000013
【図１３】
0006422838.tif 000014
【図１４】
0006422838.tif 000015
【図１５】
0006422838.tif 000016